(57)【要約】【課題】  表示パターンが何重にも重なって見える視覚効果が得られる表示装置であって、任意の表示パターンが容易に得られ、薄型化が可能な表示装置を提供する。【解決手段】  表示装置において、半透過型ミラー１とミラー２は相互に対向して配置され、その間に対向領域Ｓを形成している。半透過型ミラー１の表面が表示パターンを表示する表示面Ｄとなる。半透過型ミラー１とミラー２の間（例えば、ミラー２の表面上、対向領域Ｓ側）に基本的な表示パターンとなる光射出部３を形成している。【選択図】  図１
2006058394.tif 000002
【特許請求の範囲】
【請求項１】
対向して配置したミラーの少なくともいずれか一方を表示面とする表示装置であって、前記表示面を構成するミラーは半透過型ミラーであり、前記ミラー間に光射出部を備えることを特徴とする表示装置。
【請求項２】
前記光射出部は光散乱体で構成してあり、前記ミラーと半透過型ミラーとが形成する対向領域の側面領域に配置され該対向領域に入射光を入射する光源を備えることを特徴とする請求項１記載の表示装置。
【請求項３】
前記対向領域に配置した導光板を備え、該導光板に前記光射出部を設けてあることを特徴とする請求項１または請求項２に記載の表示装置。
【請求項４】
前記光射出部は前記導光板の内部に設けてあることを特徴とする請求項３記載の表示装置。
【請求項５】
前記導光板の一表面に前記ミラーを形成し、他表面に前記半透過型ミラーを形成してあることを特徴とする請求項３または請求項４に記載の表示装置。
【請求項６】
対向して配置した前記ミラーは、互いに傾斜をなすように配置してあることを特徴とする請求項１ないし請求項５のいずれか一つに記載の表示装置。
【請求項７】
対向して配置した前記ミラーの少なくとも一方は、前記表示面の方向に凸状に形成してあることを特徴とする請求項１ないし請求項５のいずれか一つに記載の表示装置。
【請求項８】
対向して配置した前記ミラーの少なくとも一方は、前記表示面の方向に凹状に形成してあることを特徴とする請求項１ないし請求項５のいずれか一つに記載の表示装置。
【請求項９】
前記表示面と対向する側のミラーは、のこぎり波状の断面形状を有することを特徴とする請求項１ないし請求項５のいずれか一つに記載の表示装置。
【請求項１０】
前記光射出部は前記表示面に表示すべき表示パターンの輪郭部に対応して形成してあることを特徴とする請求項１ないし請求項７のいずれか一つに記載の表示装置。
【請求項１１】
前記光源は複数の発光色を発光する構成としてあり、該発光色を選択する発光色選択手段を備えることを特徴とする請求項２ないし請求項１０のいずれか一つに記載の表示装置。
【発明の詳細な説明】
【技術分野】
【０００１】
本発明は、２枚のミラーを対向配置して文字、図形などの所定の表示パターンをミラーで構成された表示面に表示する表示装置に関する。
【背景技術】
【０００２】
従来、ミラー、ハーフミラー（半透過型ミラー）及び光源を組み合わせて、ミラーと半透過型ミラーとの間での反射光の効果により重なりあった表示パターンを表示する表示装置が提案されている（例えば、特許文献１参照。）。
【０００３】
図１６は、従来例１に係る表示装置の断面図である。この表示装置は表示面Ｄ側に配置された半透過型ミラー２１、半透過型ミラー２１に対向して配置されたミラー表示板２５、ミラー表示板２５の外部後方に配置された光源２４により構成される。ミラー表示板２５は、乳白色の樹脂板等で形成された拡散材２６、拡散材２６における表示パターン２７の部分を除いた領域に形成された反射層２８、反射層２８の表面に形成された色層２９で構成してある。
【０００４】
光源２４から放出された光源光Ｌｓは、反射層２８が存在しない表示パターン２７の部分の拡散材２６を透過し、半透過型ミラー２１において、一部は透過して表示光Ｌｄを構成し、また残りは反射されて反射光Ｌｒを構成する。反射光Ｌｒはミラー表示板２５の反射層２８で反射され、再度半透過型ミラー２１に向かい、半透過型ミラー２１において、一部は透過して表示光Ｌｄを構成し、また残りは反射されて反射光Ｌｒを構成する。このような光の透過と反射の現象が繰り返されることにより、表示パターン２７が何重にも重なって見えるという視覚効果が生じることから、例えば図１８に示すような表示状態が得られる。図１８は、従来例１に係る表示装置での視覚効果を説明するための表示状態を示す説明図である。表示面Ｄに表示パターンＩｍが何重にも重なって表示されている。
【０００５】
図１７は、従来例２に係る表示装置の断面図である。半透過型ミラー２１は表示面Ｄ側に配置されている。ミラー表示板２５は、透明板３０、透明板３０の半透過型ミラー２１に対向する側の表面に形成された反射層２８を備え、さらに半透過型ミラー２１に対向してＬＥＤ（発光ダイオード）３１を備えている。
【０００６】
従来例２に係る表示装置では、従来例１に係る表示装置がミラー表示板２５の外部後方に配置された光源２４からの光を利用していたのに対し、半透過型ミラー２１に対向するミラー表示板２５に配置したＬＥＤ３１から射出された光源光Ｌｓを利用して、従来例１に係る表示装置と同様の現象を起こさせ、ＬＥＤ３１からの光源光Ｌｓによる像が、表示光Ｌｄとして何重にも重なって見える視覚効果を持った表示装置としている。
【特許文献１】特開２００２−１２３１９５号公報
【発明の開示】
【発明が解決しようとする課題】
【０００７】
しかし、従来例１に係る表示装置では、光源を表示装置の後方（表示面とは反対側の領域）に配置することから、表示装置全体の厚さが厚くなり、薄さが要求される携帯機器等の小型の電気製品などには使用できないという問題があった。また、従来例２に係る表示装置では、光源としてミラー表示板にＬＥＤを配置することから、従来例１に係る表示装置よりは薄型化が可能であるように見えるが、ミラー表示板にＬＥＤを配置することからＬＥＤへの給電線の処理でプリント配線板が必要になることなどで薄型化が困難となる要因があった。またＬＥＤではスポット的な発光となるため、意図する模様（表示パターン）を表現できないという問題もあった。
【０００８】
また、図１８からもわかるように、従来例１に係る表示装置は表示面に対し斜め方向（表示面に対して垂直な方向から傾斜した方向）から観察した場合に表示パターンが何重にも重なって見える視覚効果が得られるが、表示装置の正面（表示面に対して垂直な方向）から観察した場合はこの効果は得られないという問題もあった。さらに、従来例１、従来例２に係る表示装置の構造では、表示面は片面のみしか実現できないという問題もあった。
【０００９】
本発明はこのような事情に鑑みてなされたものであり、表示パターンが何重にも重なって見える視覚効果が得られる表示装置であって、任意の表示パターンが容易に得られ、薄型化が可能な表示装置を提供することを目的とする。また、本発明は観察面の方向を問わず上述の視覚効果が得られる表示装置を提供することを他の目的とする。
【課題を解決するための手段】
【００１０】
本発明に係る表示装置は、対向して配置したミラーの少なくともいずれか一方のミラーは表示面を構成する表示装置であって、前記表示面を構成するミラーは半透過型ミラーであり、前記ミラー間に光射出部を備えることを特徴とする。つまり、本発明に係る表示装置では、互いに対向した２枚のミラーを備え、表示装置の表示面を構成するミラーは半透過型ミラーであり、前記対向したミラーと半透過型ミラーの間に、表示しようとする文字、図形等の表示パターンに対応して配置した光射出部を備える表示装置とする。
【００１１】
これにより、本発明に係る表示装置を斜め方向（表示面の垂直方向に対して斜め方向）から観察すると、光射出部から出た光が表示面側の半透過型ミラーを透過して表示光として観察される光射出部の像と、この半透過型ミラーを透過せずに反射してさらに表示面反対側のミラーにより再度反射して、前記像の位置よりずれた位置で半透過型ミラーを透過して観察される光射出部の像（シフト像）と、さらにこれが繰り替えされることにより何重にも重なった光射出部の像（シフト像）とが見える視覚効果を得ることができる。なお、対向する両方のミラーを共に半透過型ミラーとすれば、前記視覚効果をもった表示を両方の表示面で行うことが可能となる。
【００１２】
本発明に係る表示装置では、前記光射出部は光散乱体で構成してあり、前記ミラーと半透過型ミラーとが形成する対向領域の側面領域に配置され該対向領域に入射光を入射する光源を備えることを特徴とする。
【００１３】
これにより、対向領域の側面領域から光散乱体で構成された光放出部に入射光を入射することができるので、表示パターンに対応して配置された光散乱体からの反射光が対向領域の内部での反射と半透過型ミラーの外部への透過を繰り返し、何重にも重なった表示光として観察される表示装置となる。光源を対向領域の外部の側面領域に配置することから、従来の表示装置では表示面の後方に配置していた光源が不要となり、視覚効果を維持した状態で、表示装置の厚さを必要に応じて極限まで薄くすることができる。また、光放出部を印刷、レーザ加工等で自由に形成可能な光散乱体で構成することから、意図する表示パターンを表現することが容易にできる表示装置とすることが可能となる。
【００１４】
本発明に係る表示装置では、対向領域に配置した導光板を備え、該導光板に前記光射出部を設けてあることを特徴とする。また、本発明に係る表示装置では、前記光射出部は前記導光板の内部に設けてあることを特徴とする。さらに、本発明に係る表示装置では、前記導光板の一表面に前記ミラーを形成し、他表面に前記半透過型ミラーを形成してあることを特徴とする。
【００１５】
これにより、導光板を用いることから光源から入射した入射光は全反射して導光板内部を確実に伝わり、表示パターンに対応して形成された光射出部でのみ外部へ透過する表示光を発生するので、表示コントラストが高く、光射出部の光強度（輝度）の高い良好な表示装置となる。また、光射出部を導光板の内部に設けることにより反射光を重畳的に発生することができるので、より重畳的な表示が可能な表示装置となる。さらに、導光板の表面にミラー及び半透過型ミラーを一体的に形成することから、より薄型化した信頼性の高い表示装置を得られる。
【００１６】
本発明に係る表示装置では、対向して配置した前記ミラーは、互いに傾斜をなすように配置してあることを特徴とする。また、本発明に係る表示装置では、対向して配置した前記ミラーの少なくとも一方は、前記表示面の方向に凸状に形成してあることを特徴とする。また、本発明に係る表示装置では、対向して配置した前記ミラーの少なくとも一方は、前記表示面の方向に凹状に形成してあることを特徴とする。さらに、本発明に係る表示装置では、前記表示面と対向する側のミラーは、のこぎり波状の断面形状を有することを特徴とする。
【００１７】
これにより、表示面に対し斜め方向から観察する場合の他に正面（表示面に対し垂直方向）から観察する場合にも、何重にも重なった光射出部の像（シフト像）が見える視覚効果を得ることができる。つまり、光射出部からミラー方向に射出され、ミラーから反射した反射光は、対向するミラーが互いに所定の傾斜角度を有することから、所定の傾斜角度に対応した方向に反射を繰り返すことになり、所定の傾斜角度に対応した位置で半透過型ミラーを透過して観察される表示光は、相互にずれた位置で観察される。したがって、発光部が何重にも重なって見える視覚効果を表示装置の正面から観察した場合でも得ることができる。
【００１８】
さらに、傾斜の角度、凸状、凹状の形状、のこぎり波状の形状を変えることにより、表示面と対向する側のミラーで所望の角度の反射を生じるように構成することができる。これにより、表示装置の正面から観察した場合でも、所望の表示パターンを実現でき、より視覚効果を考慮した表示装置を得ることができる。
【００１９】
本発明に係る表示装置では、前記光射出部は前記表示面に表示すべき表示パターンの輪郭部に対応して形成してあることを特徴とする。これにより、表示すべき表示パターンが幅広部を有する場合に表示パターンの輪郭部に対応した輪郭線を表示する表示装置とすることができる。つまり、光射出部を表示パターンの輪郭部に対応させて絞ることから、光射出部の光強度（輝度）を向上することができ、表示パターンをベタで表示する場合に比較して、表示パターンをコントラスト良く鮮明に表示することができる。したがって、視覚効果のより大きい表示装置とすることができる。
【００２０】
本発明に係る表示装置では、前記光源は複数の発光色を発光する構成としてあり、該発光色を選択する発光色選択手段を備えることを特徴とする。これにより、光源の発光色を複数の発光色とし、発光色選択手段により発光色を選択することにより表示装置の発光色を単色状態または混色状態とすることができるので、任意の発光色を表示することができる表示装置となり、視覚効果の大きい表示装置を実現できる。
【発明の効果】
【００２１】
本発明に係る表示装置によれば、ミラーと半透過型ミラーとの間での反射光の効果により重なりあった表示パターンを表示する視覚効果を有する表示装置を得ることができ、従来の表示装置の課題を解決することが可能となる。つまり、本発明に係る表示装置によれば、表示装置を観察する者に、表示形状が何重にも重なって見える印象の強い視覚効果を有する表示をすることができるという効果を奏する。また、本発明に係る表示装置は小型（特には薄型）にすることができることから、例えば電気製品、特に小型化が必要とされる携帯機器の状態表示等のための表示装置として搭載できるので、電気製品、携帯機器などを小型化することができる。
【００２２】
また、本発明に係る表示装置によれば、表示面に対向するミラーの表示面に対する傾斜の角度を調整すること、表示面に対向するミラーの形状を凸状、凹状、のこぎり波状などに変更することにより、表示装置の斜め方向から観察しなければ得られなかった表示パターンが何重にも重なって見える印象の強い視覚効果を、表示装置の正面方向から観察した場合にも得られるという効果を奏する。さらに、表示面と対向する側のミラーで生じる反射の角度を所望の角度とすることができるので、所望の表示パターンを実現でき、より視覚効果を考慮した表示装置を得られるという効果を奏する。
【００２３】
また、光射出部を表示パターンの輪郭部に対応して構成することにより、コントラスト良く表示パターンの輪郭線を表示する視覚効果の大きい表示装置が得られるという効果を奏する。さらに、発光色選択手段により発光色を選択することにより表示装置の発光色を単色状態または混色状態とすることができるので、任意の発光色を表示することができる視覚効果の大きい表示装置が得られるという効果を奏する。
【発明を実施するための最良の形態】
【００２４】
以下、本発明の実施形態を図面に基づいて説明する。
【実施例１】
【００２５】
図１は、本発明の実施例１に係る表示装置の断面図である。本実施例に係る表示装置は半透過型ミラー１、半透過型ミラー１に対向して配置されたミラー２、半透過型ミラー１とミラー２の間に形成された光射出部３を備える。光射出部３は、半透過型ミラー１に対向してミラー２の表面上に形成してある。半透過型ミラー１とミラー２の間に対向領域Ｓが形成されている。また、半透過型ミラー１の表面が表示パターンを表示する表示面Ｄとなる。
【００２６】
半透過型ミラー１は、アクリル、ポリカーボネイト等の透明樹脂からなる薄板の表面に 光の一部が透過し一部が反射する膜厚（例えば１００ｎｍ〜５００ｎｍ程度）のアルミニウム、銀等の金属膜を、蒸着、スパッタ、メッキ等の成膜技術により成膜して形成することができる。ＰＥＴ等のフイルム状の材料にアルミニウム、銀等の金属を蒸着等の成膜技術により成膜して半透過型ミラーシートとしたものを粘着材でアクリル、ポリカーボネイト等の透明樹脂からなる薄板上に貼りあわせて形成しても同様に半透過型ミラーを得られる。ミラー２についても、半透過型ミラー１と同様の方法で形成することができる。ミラー２の場合には、金属膜の膜厚を光が完全に反射する程度とすることは言うまでもない。
【００２７】
ここで表示装置の動作について説明すると、表示装置の斜め方向Ｗ（表示面の垂直方向に対して斜め方向Ｗ）から表示装置を見た場合、光射出部３より射出した射出光Ｌｒａは半透過型ミラー１に投射し、射出光Ｌｒａの一部は半透過型ミラー１を透過して表示面Ｄに出て観察者に光射出部３を認識（視認）させる表示光Ｌｄ１となる。射出光Ｌｒａの残りの光は半透過型ミラー１への入射角度に応じた角度をもって反射し反射光Ｌｒｂとなり、光射出部３よりずれた位置でミラー２により反射され反射光Ｌｒｃを生じる。反射光Ｌｒｃは、射出光Ｌｒａからずれた位置で半透過型ミラー１に投射し、一部は半透過型ミラー１を透過して表示面Ｄに出て観察者に光射出部３を認識させる表示光Ｌｄ２となる。反射光Ｌｒｃの残りは反射光Ｌｒｂと同様に反射して反射光Ｌｒｄとなりミラー２に投射される。
【００２８】
このような反射と透過の動作を繰り返すことにより、表示装置の斜め方向Ｗに対して表示光Ｌｄ（Ｌｄ１、Ｌｄ２、Ｌｄ３、Ｌｄ４）を投射し、観察者に、光射出部３が何重にも重なって見える視覚効果を与えることができる。表示したい文字、図形などの表示パターン（表示模様）に応じて光射出部３を配置形成することにより、所望の表示パターンを表示することができる。
【００２９】
図１０は、実施例１に係る表示装置の視覚効果を説明するための表示パターンの一例を示す平面図である。模式的に光射出部３を円形に配置した状態を示し、例えば表示パターンＩｍ１は表示光Ｌｄ１、表示パターンＩｍ２は表示光Ｌｄ２、表示パターンＩｍ３は表示光Ｌｄ３、表示パターンＩｍ４は表示光Ｌｄ４に対応する。つまり、基準となる光射出部３の像（表示パターンＩｍ１）からずれた位置に等間隔のずれで投射した光射出部の像（表示パターンＩｍ２、表示パターンＩｍ３、表示パターンＩｍ４）が重なって表示されるようになる。
【００３０】
なお、光射出部３の詳細は実施例３以下で説明するが、その他に例えば蛍光塗料などの蛍光体をパターニングしてミラー１の表面に形成することができる。また、表面から散乱光を生じるように構成したオプティカルファイバなどを用いることもできる。これらを用いることにより任意の模様の表示パターンを表示することが容易に可能となる。
【実施例２】
【００３１】
図２は、本発明の実施例２に係る表示装置の断面図である。図１の構成と同一部分には同一符号を付して重複する説明は省略する。実施例２に係る表示装置は、対向する２つのミラーを両方とも半透過型ミラー１とした表示装置であり、反射と透過の動作は実施例１と同様であり詳細な説明は省略する。表側（上側）表示面ＤＦ、裏側（下側）表示面ＤＲで示すように両面を表示面とする表示装置であり、表示装置の斜め方向ＷＦ、ＷＲに対して表示光Ｌｄｆ、Ｌｄｒを投射することができるので、相対する両方向の観察者に光射出部３が何重にも重なって見える視覚効果を与えることができる。つまり、相対する反対方向に対して同様な表示が可能で、実施例１の場合と同様な視覚効果が得られる表示装置となる。
【実施例３】
【００３２】
図３は、本発明の実施例３に係る表示装置の断面図である。図１、図２の構成と同一部分には同一符号を付して重複する説明は省略する。実施例３に係る表示装置は、半透過型ミラー１とミラー２が形成する対向領域Ｓの側面領域に光源４を配置し、光源４から入射光Ｌｉを対向領域Ｓに入射する構成としている。また、光射出部３は光散乱体により形成している。したがって、入射光Ｌｉはミラー２上に形成された光射出部３に投射し、光射出部３は光散乱体により形成しているから入射光Ｌｉを散乱（拡散）して射出光Ｌｒａを生じる。実施例１と同様に反射と透過の動作を繰り返すことにより、表示光Ｌｄを表示装置の斜め方向Ｗから表示パターンとして観察できる表示装置となる。なお、光射出部３をミラー２上に形成しているが、半透過型ミラー１の表面（対向領域Ｓ側の表面）に形成しても良い。
【００３３】
光源４は ＬＥＤ、冷陰極管等の各種ランプを用いることができるが、小型で低消費電力の表示装置とする場合は、ＬＥＤを使用する。また、半透過型ミラー１とミラー２で形成される対向領域Ｓの側面領域に光源４を配置し、対向領域Ｓの側面から対向領域Ｓに入射光Ｌｉを入射する構成としているから、光散乱体である光射出部３に光が到達するまでに両ミラー（半透過型ミラー１とミラー２）での反射により導光機能を生じるという効果も得られる。光源４を半透過型ミラー１とミラー２の間（対向領域Ｓの側面領域）に配置したので、従来の表示装置の後方に光源を配置した場合と比較して、より薄型化した表示装置とすることが可能となる。
【００３４】
光射出部３の光散乱体の形成方法について説明する。光散乱インクをミラー２上にスクリーン印刷などの手法で塗布形成する方法、レーザでミラー２を形成している薄板樹脂を溶融して表面状態を変え光散乱体とする方法、ミラー２を形成している薄板樹脂の表面に機械的加工でＶ溝を作り光散乱体とする方法などにより容易に光散乱体を形成することができる。表示したい表示パターンに対応させた光射出部３を容易に光散乱体で形成することができるので、光射出部３が何重にも重なって見える視覚効果をもった表示装置を容易に実現することができる。
【実施例４】
【００３５】
図４は、本発明の実施例４に係る表示装置の断面図である。図１〜図３の構成と同一部分には同一符号を付して重複する説明は省略する。実施例４に係る表示装置は、半透過型ミラー１とミラー２が形成する対向領域Ｓに導光板５を配置したものである。導光板５の側面領域に光源４を配置して、光源４から入射光Ｌｉを導光板５に入射する構成としている。また、導光板５はアクリル、ポリカーボネイト等の透明樹脂で形成され、その表面領域（ミラー２側の表面領域）には光射出部３が光散乱体として形成してある。光散乱体は加工対象がアクリルなどの透明樹脂である導光板５となるが、実施例３で示した光散乱体の形成方法により形成することができる。なお、光射出部３は、導光板５の半透過型ミラー１側の表面領域に配置しても良い。
【００３６】
また、導光板５と半透過型ミラー１およびミラー２とは間隔をもって配置するように表現しているが、半透過型ミラー１およびミラー２と導光板５とは別構成であることを示すためにこのように表現したもので、実際には密着して配置している。半透過型ミラー１およびミラー２と導光板５とを密着させるのは、光射出部３がミラー２（または半透過型ミラー１）から離れた位置にあると、光射出部３から射出した射出光Ｌｒａの光路が、半透過型ミラー１（またはミラー２）側だけでなくミラー２（または半透過型ミラー１）側にも発生して光射出部３の像が両者の光路の重畳した形態となり、乱雑な重なり合わせの像となることを避けるためである。
【００３７】
しかし、このような乱雑な重なり合わせの像が発生する効果を意図的に狙う場合は、実施例４の変形例として、光射出部３をミラー２（または半透過型ミラー１）から離す構成としても良く、そのためにはミラー２（または半透過型ミラー１）と導光板５との間に間隔を設ける構成とする。
【００３８】
導光板５を使用して導光板５の側面領域に配置した光源４から入射光Ｌｉを入射する構成としたので、薄型の表示装置とすることが可能となる。また、導光板５を使用することから、光源４から入射された入射光Ｌｉは全反射により導光板５の内部を伝わり、光散乱体で構成された光射出部３の部分だけで射出光Ｌｒａを生じるので、表示のコントラストが上がるとともに、光射出部３の光強度（輝度）が上がり良好な表示を行うことができる。
【実施例５】
【００３９】
図５は、本発明の実施例５に係る表示装置の断面図である。図１〜図４の構成と同一部分には同一符号を付して重複する説明は省略する。実施例５に係る表示装置は、導光板５の内部に光射出部３を形成して、光射出部３から射出した射出光Ｌｒａの光路が、半透過型ミラー１側への射出光Ｌｒａ１だけでなくミラー２側にも射出光Ｌｒａ２として発生する構成としたものである。導光板５の内部に光射出部３を形成する方法としては、導光板５の内部に焦点を持たせたレーザ加工などがある。
【００４０】
この２つの射出光Ｌｒａ１、Ｌｒａ２による光射出部３の像が例えば表示光Ｌｄ１１、Ｌｄ１２で示すように重畳した表示形態（表示パターン）となり、実施例４の変形例と同様に、乱雑な重なり合わせの像を形成することができる。
【００４１】
導光板５を使用して導光板５の側面領域に配置した光源４から入射光Ｌｉを入射する構成としたので、実施例４と同様な効果を奏する薄型の表示装置とすることが可能となる。また、導光板５を使用することから、光源４から入射された入射光Ｌｉは全反射により導光板５の内部を伝わり、光散乱体で構成された光射出部３の部分だけで射出光Ｌｒａを生じるので、表示のコントラストが上がるとともに、光射出部３の光強度（輝度）が上がり良好な表示を行うことができる。
【実施例６】
【００４２】
実施例６に係る表示装置は、図４、図５の表示装置（実施例４、実施例５）において、導光板５の表面に半透過型ミラー１とミラー２を形成したものである。つまり、導光板５の一表面にミラー２を形成し、他表面に半透過型ミラー１を形成したものである。
【００４３】
導光板５の表面に半透過型ミラー１を形成する方法を説明する。光の一部が透過し一部が反射する膜厚のアルミニウム、銀等の金属膜を、蒸着、スパッタ、メッキ等の成膜技術により形成する方法、ＰＥＴ等のフイルム状の材料にアルミニウム、銀等の金属を蒸着等の成膜技術により形成して半透過型ミラーシートとしたものを粘着材で貼り合せて、導光板の一表面とする方法などを利用できる。ミラー２についても同様の方法で導光板５のもう一方の表面に形成している。
【００４４】
実施例６に係る表示装置とすることで、実施例４、実施例５では導光板５と別部品としていた半透過型ミラー１、ミラー２を導光板５と一体化でき、より薄型で、信頼性の高い表示装置とすることができる。また、一体化することにより製造歩留まり、製造コストを改善することができる。
【実施例７】
【００４５】
実施例１〜実施例６に係る表示装置は、表示面に対し斜め方向Ｗから観察する場合に、何重にも重なった光射出部３の像（シフト像）が見える視覚効果を得ることができる表示装置であるが、表示面を正面から観察した場合には、光射出部３からの光路がミラー間（ミラー２と半透過型ミラー１との間）でずれて繰返し反射することがなくなり、光射出部３が何重にも重なって見えるという視覚効果を得ることはできない。
【００４６】
それに対し、実施例７に係る表示装置は、表示面を正面から観察した場合にも、何重にも重なった光射出部の像（シフト像）が見える視覚効果を得ることができるものである。図６は、本発明の実施例７に係る表示装置の断面図である。図１〜図５の構成と同一部分には同一符号を付して重複する説明は省略する。ミラー２は半透過型ミラー１に対して平行ではなく、ある角度θ（例えば５度）の傾斜（傾斜角度θ）をなすように対向配置してある。つまり、半透過型ミラー１とミラー２は互いに傾斜をなすように配置してある。
【００４７】
光射出部３から半透過型ミラー１の垂直方向に射出した光の一部は表示光Ｌｄ１として表示面Ｄの外部に投射され、残りは射出光Ｌｒａとしてミラー２の方向に射出される。ミラー２は水平方向（半透過型ミラー１の平面方向）に対して角度θ（傾斜角度θ）傾いているため、射出光Ｌｒａは入射角θでミラー２に入射されることになる。射出光Ｌｒａがミラー２で反射して生じる反射光Ｌｒｂの方向は、ミラー２の傾斜角度θと射出光Ｌｒａの入射角θの和により規定され、半透過型ミラー１の垂直方向に対して角度２θ（入射角２θ）で半透過型ミラー１に投射される。つまり、反射光Ｌｒｂは光射出部３からずれた位置で半透過型ミラー１に投射し、一部は透過して表示光Ｌｄ２として表示面に出て、観察者に光射出部３を認識させ、残りは反射して反射光Ｌｒｃとなる。反射光Ｌｒｂの入射角は２θであるから、反射光Ｌｒｃは半透過型ミラー１の垂直方向に対して角度２θ（反射角２θ）で反射されミラー２に投射される。
【００４８】
ミラー２に対する反射光Ｌｒｃの入射角は、反射光Ｌｒｃの半透過型ミラー１の垂直方向に対する角度２θとミラー２の傾斜角度θの和（つまり入射角３θ）となり、反射光Ｌｒｃはミラー２の垂直方向に対して角度３θの反射角で反射され、反射光Ｌｒｄを生じる。反射光Ｌｒｄの方向は、ミラー２の傾斜角度θと反射光Ｌｒｄの反射角３θの和（つまり入射角４θ）で規定され、半透過型ミラー１の垂直方向に対して角度４θ（入射角４θ）で半透過型ミラー１に投射される。つまり、反射光Ｌｒｄは反射光Ｌｒｂからさらに離れた位置において半透過型ミラー１に投射し、反射光Ｌｒｂと同様に表示光Ｌｄ３と反射光Ｌｒｅを生じる。
【００４９】
このような反射と透過の動作を繰り返すことにより、表示装置を正面方向Ｗｄから観察した場合でも、表示光Ｌｄ（Ｌｄ１〜Ｌｄ４）を観察でき、光射出部３が何重にも重なって見える視覚効果をもった表示装置となる。
【００５０】
また、実施例７に係る表示装置では重なり合って観察できる表示光Ｌｄ（Ｌｄ１〜Ｌｄ４）による像が、最初の光射出部３からの像（表示光Ｌｄ１）に対して次第に離れていく表示効果を得ることができる。また、光射出部３による反射光（Ｌｒｂ、Ｌｒｄ・・・）の反射角は、次第に広がっていくが、反射光と半透過型ミラー１の垂直方向とのなす角（半透過型ミラー１に対する反射光の入射角）が導光板５から空気中に出射できる臨界角以上となった場合、光は出射されなくなる。この効果を利用すれば、対向する半透過型ミラー１とミラー２とがなす傾斜角度を適宜設定することにより、多重に見える像の数を調整することも可能となる。
【００５１】
図１１は、実施例７に係る表示装置の視覚効果を説明するための表示パターンの一例を示す平面図である。模式的に光射出部３を円形に配置した状態を示し、例えば表示パターンＩｍ１は表示光Ｌｄ１、表示パターンＩｍ２は表示光Ｌｄ２、表示パターンＩｍ３は表示光Ｌｄ３、表示パターンＩｍ４は表示光Ｌｄ４に対応する。つまり、最初の光射出部３の像（表示パターンＩｍ１）に対して、反射した光射出部３の像（表示パターンＩｍ２〜表示パターンＩｍ４）は、反射を繰り返すたびに離れた位置に見えるようになる。
【実施例８】
【００５２】
図７は、本発明の実施例８に係る表示装置の断面図である。図１〜図６の構成と同一部分には同一符号を付して重複する説明は省略する。実施例８に係る表示装置では、ミラー２を半透過型ミラー１に対して凸状としている。つまり、ミラー２は表示面Ｄの方向に凸状に形成してある。なお、Ｘ方向のみに凸状となっている状態を示す。
【００５３】
ミラー２を凸状に形成することにより実施例７に係る表示装置の場合と同様に半透過型ミラー１に対してミラー２が角度をもって対向した状態となる。したがって、表示面Ｄの正面方向Ｗｄから見た場合に凸状の中心Ｃ１から外側に向かって広がるように光射出部３の像（表示光Ｌｄ）がずれていく。凸状の中心Ｃ１を中心に表示パターンに対応して光射出部３を配置すると光射出部３に対応する表示パターンが外側に拡大された多重の像が観察される表示装置を得ることができる。つまり、実施例８に係る表示装置は、正面方向Ｗｄから表示装置を観察した場合でも、光射出部３に対応する像が多重に見える表示装置である。
【００５４】
図１２は、実施例８に係る表示装置の視覚効果を説明するための表示パターンの一例を示す平面図である。模式的に光射出部３を円形に配置した状態を示し、例えば表示パターンＩｍ１は表示光Ｌｄ１、表示パターンＩｍ２は表示光Ｌｄ２、表示パターンＩｍ３は表示光Ｌｄ３、表示パターンＩｍ４は表示光Ｌｄ４に対応する。表示パターンＩｍ１を円形に示しているが、これは凸状の中心Ｃ１の位置に円形の光射出部３を置いた場合を示している。凸状の広がり方向に円形が拡大して、表示パターンＩｍ２、表示パターンＩｍ３、表示パターンＩｍ４が観察され、多重に映る像が楕円形状に見える視覚効果が得られる。
【００５５】
図７では、Ｘ方向のみで凸状となっている断面を示しているが、実施例８の変形例として断面を同心円状に凸状とすることも可能であり、このように構成した場合には、凸状の中心Ｃ１から周囲の全方向に同等に拡大する多重の像が観察できる表示装置を得ることができる。図１３は、実施例８の変形例に係る表示装置の視覚効果を説明するための表示パターンの一例を示す平面図である。光射出部３を円形に配置して、徐々に拡大して表示される同心円状の表示パターンＩｍ１、表示パターンＩｍ２、表示パターンＩｍ３、表示パターンＩｍ４を表示する表示装置とすることができる。
【実施例９】
【００５６】
図８は、本発明の実施例９に係る表示装置の断面図である。図１〜図７の構成と同一部分には同一符号を付して重複する説明は省略する。実施例９に係る表示装置では、ミラー２を半透過型ミラー１に対して凹状としている。つまり、ミラー２は表示面Ｄの方向に凹状に形成してある。なお、Ｘ方向のみに凹状となっている状態を示す。
【００５７】
ミラー２を凹状に形成することにより実施例７に係る表示装置の場合と同様に半透過型ミラー１に対してミラー２が角度をもって対向した状態となる。したがって、表示面Ｄの正面方向Ｗｄから見た場合に凹状の中心Ｃ２に対して外側から内側に向かって縮むように光射出部３の像（表示光Ｌｄ）がずれていく。凹状の中心Ｃ２を中心に表示パターンに対応して光射出部３を配置すると光射出部３に対応する表示パターンが外側から内側に縮小された多重の像が観察される表示装置を得ることができる。つまり、実施例９に係る表示装置は、正面方向Ｗｄから表示装置を観察した場合でも、光射出部３に対応する像が多重に見える表示装置である。
【００５８】
図１４は、実施例９に係る表示装置の視覚効果を説明するための表示パターンの一例を示す平面図である。模式的に光射出部３を円形に配置した状態を示し、例えば表示パターンＩｍ１は表示光Ｌｄ１、表示パターンＩｍ２は表示光Ｌｄ２、表示パターンＩｍ３は表示光Ｌｄ３、表示パターンＩｍ４は表示光Ｌｄ４に対応する。表示パターンＩｍ１を円形に示しているが、これは凹状の中心Ｃ２の位置から適宜の距離にある外周部分に円形の光射出部３を置いた場合を示している。凹状の縮み方向（中心方向）に円形が縮小して、表示パターンＩｍ２、表示パターンＩｍ３、表示パターンＩｍ４が観察され、多重に映る像が楕円形状に見える視覚効果が得られる。
【００５９】
図８では、Ｘ方向のみで凹状となっている断面を示しているが、実施例９の変形例として断面を同心円状に凹状とすることも可能であり、このように構成した場合には、凹状の中心Ｃ２から適宜の間隔で離れた外周の全方向から内側に向かって同等に縮小する多重の像が観察できる表示装置を得ることができる。図１５は、実施例９の変形例に係る表示装置の視覚効果を説明するための表示パターンの一例を示す平面図である。光射出部３を円形に配置して、徐々に縮小して表示される同心円状の表示パターンＩｍ１、表示パターンＩｍ２、表示パターンＩｍ３、表示パターンＩｍ４を表示する表示装置とすることができる。
【実施例１０】
【００６０】
図９は、本発明の実施例１０に係る表示装置の断面図である。図１〜図８の構成と同一部分には同一符号を付して重複する説明は省略する。実施例９に係る表示装置では、ミラー２をのこぎり波状の断面形状を有するように構成している。つまり、ミラー２は表示面Ｄの方向にのこぎり波状の断面形状を有するように形成してある。
【００６１】
ミラー２の断面がのこぎり波状であることから、半透過型ミラー１の垂直方向からミラー２に投射した光は、のこぎり波状の角度に応じた任意の角度をもって反射するようになる。ミラー２は、アクリル、ポリカーボネイト等の透明樹脂を成型によりのこぎり波状とした後、その表面に、アルミニウム、銀等の金属膜を、蒸着、スパッタ、メッキ等の成膜技術により成膜して形成することができる。ミラー２の表示面Ｄ側の表面にのこぎり波状の断面形状を設けることで実施例７に係る表示装置の場合と同様に半透過型ミラー１に対してミラー２が角度をもって対向した状態となる。
【００６２】
したがって、表示面Ｄの正面方向Ｗｄから見た場合に、のこぎり波状傾斜面の垂直方向に多重の像が観察される表示装置を得ることができる。また、全体にミラー２を傾斜させた実施例７に係る表示装置に比べ、表示装置の外形（表示装置のパッケージ）の断面の形状を傾斜の存在しない長方形にして機器等に組込み易くするとともに、薄型にできる効果もある。
【実施例１１】
【００６３】
実施例１〜実施例８に係る表示装置において、文字、図形等の表示パターンで幅広部（所定の大きさの面積を持つ表示部分）がある場合に、その文字、図形等の表示パターンの輪郭部に対応した輪郭線を特徴的に表示する表示装置とすることができる。つまり、実施例１１に係る表示装置は、表示パターンの輪郭線に対応して光射出部３を形成したものである。なお、図は省略する。
【００６４】
輪郭線に対応して光射出部３を形成することにより、表示装置の側面領域に配置された光源４より入射された光を、表示部分をベタで光射出部とする場合に比べ、光射出部を絞って光投射させるため、表示パターンをコントラスト良く鮮明に表示することができる。したがって、光射出部３の光強度（輝度）が向上し、観察者により視覚効果のある表示装置とすることができる。
【実施例１２】
【００６５】
実施例３〜実施例１１に係る表示装置において、表示装置側面に配置した光源４は、通常単色のＬＥＤを用いる。実施例１２に係る表示装置は、光源として複数の発光色を発光する構成とし、発光色を選択する発光色選択手段を備えるものである。なお、図は省略する。複数の発光色を発光する光源としては、ＲＧＢタイプ等の複合ＬＥＤ、冷陰極管とカラーフィルタの組み合わせなどを適用することができる。発光色選択手段としては、例えば、Ｒ、Ｇ、ＢのＬＥＤを選択的に点灯して発光色を選択するスイッチング回路などを適用することができる。
【００６６】
発光色の選択形態としては複数色のうちいずれか一つの単色を選択する形態、または複数を同時に選択して混色を生じる形態いずれも可能である。複数の発光色を発光する光源と任意の発光色を選択する発光色選択手段を備える構成とすることにより、表示装置（表示面）の発光色を任意に変えることが可能となり、より観察者に視覚効果のある表示装置とすることができる。光源としてＬＥＤを用いた場合に表示面ではなく側面に光源を配置することから、ＬＥＤの必要個数を少なくできること、光源から光射出部までの距離が十分とれることによりＲＧＢの混色が良くなることなどの効果を奏する。
【００６７】
したがって、実施例１２に係る表示装置では、表示面の後方に配置した光源を有する従来の表示装置（図１６参照）で光源をＬＥＤ構成とした場合、ＬＥＤをミラーと組み合わせた従来の表示装置（図１７参照）の場合などでの問題（高価なＲＧＢ用のＬＥＤが多数必要になること、光源とミラー間の距離が短いことからＲＧＢの内から複数の色を選択した場合の混色が十分でなく所望の色の表示ができないことなど）が生じない。
【図面の簡単な説明】
【００６８】
【図１】本発明の実施例１に係る表示装置の断面図である。
【図２】本発明の実施例２に係る表示装置の断面図である。
【図３】本発明の実施例３に係る表示装置の断面図である。
【図４】本発明の実施例４に係る表示装置の断面図である。
【図５】本発明の実施例５に係る表示装置の断面図である。
【図６】本発明の実施例７に係る表示装置の断面図である。
【図７】本発明の実施例８に係る表示装置の断面図である。
【図８】本発明の実施例９に係る表示装置の断面図である。
【図９】本発明の実施例１０に係る表示装置の断面図である。
【図１０】実施例１に係る表示装置の視覚効果を説明するための表示パターンの一例を示す平面図である。
【図１１】実施例７に係る表示装置の視覚効果を説明するための表示パターンの一例を示す平面図である。
【図１２】実施例８に係る表示装置の視覚効果を説明するための表示パターンの一例を示す平面図である。
【図１３】実施例８の変形例に係る表示装置の視覚効果を説明するための表示パターンの一例を示す平面図である。
【図１４】実施例９に係る表示装置の視覚効果を説明するための表示パターンの一例を示す平面図である。
【図１５】実施例９の変形例に係る表示装置の視覚効果を説明するための表示パターンの一例を示す平面図である。
【図１６】従来例１に係る表示装置の断面図である。
【図１７】従来例２に係る表示装置の断面図である。
【図１８】従来例１に係る表示装置での視覚効果を説明するための表示状態を示す説明図である。
【符号の説明】
【００６９】
１  半透過型ミラー
２  ミラー
３  光射出部
４  光源
５  導光板
θ  傾斜角度
Ｃ１  凸状の中心
Ｃ２  凹状の中心
Ｄ、ＤＦ、ＤＲ  表示面
Ｉｍ１、Ｉｍ２、Ｉｍ３、Ｉｍ４  表示パターン
Ｌｉ  入射光
Ｌｄ（Ｌｄ１、Ｌｄ２、Ｌｄ３、Ｌｄ４）、Ｌｄｆ、Ｌｄｒ  表示光
Ｌｄ１１、Ｌｄ１２  表示光
Ｌｒａ、Ｌｒａ１、Ｌｒａ２  射出光
Ｌｒｂ、Ｌｒｃ、Ｌｒｄ、Ｌｒｅ  反射光
Ｓ  対向領域
Ｗ、Ｗｆ、Ｗｒ  斜め方向
Ｗｄ  正面方向
【図１】
2006058394.tif 000003
【図２】
2006058394.tif 000004
【図３】
2006058394.tif 000005
【図４】
2006058394.tif 000006
【図５】
2006058394.tif 000007
【図６】
2006058394.tif 000008
【図７】
2006058394.tif 000009
【図８】
2006058394.tif 000010
【図９】
2006058394.tif 000011
【図１０】
2006058394.tif 000012
【図１１】
2006058394.tif 000013
【図１２】
2006058394.tif 000014
【図１３】
2006058394.tif 000015
【図１４】
2006058394.tif 000016
【図１５】
2006058394.tif 000017
【図１６】
2006058394.tif 000018
【図１７】
2006058394.tif 000019
【図１８】
2006058394.tif 000020